(57)【要約】【課題】メス刃をハンドルに装着したままの状態で保管でき、手術中臨機応変に対応できるようメス刃の大きさが分かるように透明な保管容器で、使用本数によって容器が連結可能なメス刃付ハンドルの保管容器を提供することにある。【解決手段】メス刃をハンドルに装着したままの状態で1本ずつ保管でき、メス刃を収納する部分は刃が直接容器に触れないように刃と左右及び下の容器内面の間に空間があり、ハンドル中央の持ち手部分に対する容器の壁を削除し、ハンドルを狭持する部分を上方に広がった斜面状にすることで、メス刃付ハンドルを出し入れが容易であり、またハンドルが容器の中で安定するような構造とした。保管容器に設けた連結用足、又は別体の連結プレートに複数個の保管容器を一定間隔で結合できる構造とした。【選択図】図１
2010167105.tif 000002
【特許請求の範囲】
【請求項１】
手術用のメス刃をハンドルに装着したままの状態で１本ずつ保管できる容器であり、上に開いた長方形の箱状であり、前記ハンドルの中央部分に相対する容器の壁が削除してあり、前記ハンドルを収納した状態において、メス刃を収納する部分は、刃が直接容器に触れないように、刃と左右及び下の容器内面の間に空間があることを特徴とするメス刃付ハンドル保管容器。
【請求項２】
請求項１に記載した保管容器において、ハンドル保持部分に相当する容器の両側内面が上方に広がった斜面状であることを特徴とする請求項１に記載したメス刃付ハンドル保管容器。
【請求項３】
請求項１又は請求項２に記載した保管容器において、該保管容器の複数個を一定の間隔を保って水平方向に脱着可能に連結できる手段を備えていることを特徴とするメス刃付ハンドル保管容器。
【請求項４】
請求項１又は請求項２に記載したメス刃付ハンドル保管容器と、連結プレートとの組み合わせであり、前記保管容器と前記連結プレートは結合可能な手段を有し、前記連結プレートに前記保管容器を１個結合することにより保管容器を倒れ難くでき、前記連結プレートで前記保管容器の複数個を順次結合することにより、複数本のメス刃付ハンドルを一定間隔で保管できる容器として機能することを特徴とするメス刃付ハンドル保管容器と連結プレートとの組み合わせ。
【発明の詳細な説明】
【技術分野】
【０００１】
本発明は手術用のメス刃の付いたハンドルを安全に保管できる容器に関するものである。
【背景技術】
【０００２】
看護師は手術に使用するメス刃をハンドルに付けて準備している。メス刃付ハンドルを保管する容器は一般的には使用されておらず、器械が置いてある台の上や器械の入っている籠の中に一緒に入れていたりしている。そのため、鋭利なメス刃が置いてあることで看護師の器械管理の妨げになったり、メス刃ハンドルを医師が必要な時にすぐに渡すことが出来なかったりしている。メス刃付ハンドルの置く位置が決まっていないことで、手術中に看護師が交代した場合も上記のことが起こりうる。またメス刃付ハンドルは、看護師から医師へ、医師から看護師へ直接渡す事が多く、両者が切傷することに繋がっている。
【０００３】
特許文献１には、鋭利な先端部と鋭利な先端部を保護するキャップとを有する医療器具を包装する包装容器であって、医療器具を装填するための空間部と医療器具を保持するための保持部と空間部の下部に設けられた底部とを備え、底部がキャップを斜めに立てかけることの出来る段差を有し、医療従事者がストレス無く活用でき、かつ針などの鋭利な医療器具の先端で指などを刺す事故を防止するための包装容器が提案されている。
【先行技術文献】
【特許文献】
【０００４】
【特許文献１】特開2006―326192号公報
【発明の概要】
【発明が解決しようとする課題】
【０００５】
しかしながら、上記特許文献は包装容器の機能が主体であり、手術中の保管容器としては器具の安定性に問題があり、かつ器具の先端と本体を分解して包装するタイプであり、メス刃をハンドルに装着したままの状態で保管する事ができない。メス刃が容器に密着するタイプであると刃が損傷して使用時に支障をきたすことになる。また、手術中臨機応変に対応するためにも、メス刃の大きさが分かるように容器が透明であり、使用本数によって容器が連結可能でなければならない。
本発明は、上記のような問題に鑑み、その問題を解決すべく創案されたものであって、その目的とするところは安全で使いやすいメス刃付ハンドルの保管容器を提供することにある。
【課題を解決するための手段】
【０００６】
本発明のメス刃付ハンドル保管容器は、手術用のメス刃をハンドルに装着したままの状態で1本ずつ保管でき、メス刃を収納する部分は刃が直接容器に触れないように刃と左右及び下の容器内面の間に空間があることを特徴とした。
【０００７】
ハンドル中央の持ち手部分に相対する容器の壁を削除し、ハンドルを狭持する部分を上方に広がった斜面状にすることで、メス刃付ハンドルの出し入れが容易であり、またハンドルが容器の中で安定するような構造とした。
【０００８】
連結プレートに複数個の保管容器を一定間隔で結合することにより、複数本のメス刃付ハンドルを保管できる構造とした。
【発明の効果】
【０００９】
メス刃を収納する部分の左右及び下の容器内面の間に空間を設けることで、刃が直接容器に触れないようにして刃の損傷を防ぎ、また看護師に刃が直接触れないので切傷する危険性が少ない。
【００１０】
ハンドルを狭持する部分を上方に広がった斜面状にすることで、容器とハンドルの間に隙間がなく、がたつきがないことで安全にメス刃付ハンドルを保管することができる。
【００１１】
ハンドル中央の持ち手部分に相対する左右側壁が削除してあるので、ハンドルを左右から容易に摘むことができ、出し入れに便利である。
【００１２】
透明のプラスチックケースにすることで、保管されているメス刃の大きさが一目でわかり、迅速に医師に渡すことができる。
【００１３】
メス刃の先端とハンドルの末端に前後壁を設けることで、メス刃付ハンドルが容器から落ちないので容器ごと看護師から医師へ、医師から看護師へ渡すことができ、直接メス刃付ハンドルを渡さないことで、両者が切傷する危険性が少なくなる。
【００１４】
保管容器の左右に連結足を設け、連結足の端部近傍を凹凸で結合させることで保管容器の複数個を一定の間隔を保って水平方向に脱着可能になり、複数本のメス刃付ハンドルを同時に管理することができる。
【００１５】
また、別体の連結プレートと保管容器とを結合することで、複数個を一定の間隔を保って水平方向に保管することが可能になる。
【００１６】
この連結プレートに保管容器を１個結合することにより、保管容器を倒れ難くすることができ器械管理がしやすくなる。
【００１７】
別体の連結プレートを使用する場合は、保管容器本体の連結用足部を削除できるのでコンパクトになり、保管容器そのものを管理する際のスペースを小さくすることができる。
【００１８】
予め繋がった状態の連結プレートには切断用の溝を設けてあるので、必要に応じて手動で切断し、メス刃の使用本数に合わせて保管容器の数を調節することができ便利である。
【００１９】
ディスポーザブルであり、手術終了後には破棄し感染防止に努めることができる。
【図面の簡単な説明】
【００２０】
【図１】本発明によるメス刃付きハンドル保管容器の構造図である。
【図２】本発明によるメス刃付きハンドル保管容器の連結方法である（請求項３）。
【図３】本発明によるメス刃付きハンドル保管容器の連結方法である（請求項４）。
【図４】本発明によるメス刃付きハンドル保管容器の連結方法である（請求項４）。
【図５】本発明によるメス刃付きハンドル保管容器の連結方法である（請求項４）。
【発明を実施するための形態】
【００２１】
本発明のメス刃付ハンドルの保管容器は、図１に示すように透明プラスチック製の長方形の箱状の容器であり、ハンドル１０の中央部の持ち手部分に相対する左右側壁３ａ、３ｂが削除してある。
【００２２】
ハンドル１０を保持する部分は左右の壁２ａ、２ｂであり、好ましくは上方に広がった斜面状でハンドルを左右から挟むように保持することによって、ハンドルの厚さ寸法が異なっても、がたつくことなく保持できるので都合が良い。
【００２３】
メス刃１１を収納する部分は、刃と左右の容器内面６ａ・６ｂ、および下の容器底面６ｃの間に空間があり、メス刃全体が覆われており、刃が直接容器に触れないようになっている。
【００２４】
図２は、保管容器１の下部左右に連結足７を設け、連結足の先端側に穴７ａと円柱状凸部７ｂを設けて結合させることで複数個の保管容器を一定の間隔を保って水平方向に脱着可能に連結できる構造を示している。
【００２５】
図３は、連結プレート８に設けた穴８ａに保管容器１の底部に設けた円柱状の凸部９ｂを挿入することにより保管容器１と連結プレート８を連結した状態を示している。
【００２６】
保管容器１の底部に設けた矩形の凸部９ａは、プレート８の端面に当接することにより、保管容器と連結プレートを連結した際に、ぐらつかないようになっている。
また、矩形の凸部９ａの突出量をプレートの厚さと同じにしたので、保管容器１と連結プレート８を連結した状態でテーブルなど平面上に置いた際に安定するようになっている。
【００２７】
図４は、保管容器１の両側面に設けた溝９ｃを、連結プレート８に設けた溝８ｂ内にスライドさせて挿入することにより、保管容器１と連結プレート８を結合した状態を示している。
同じ形状の連結プレート８を、保管容器１に互い違いの方向から挿入することにより任意の個数の保管容器を連結することができる。
尚、保管容器１の底部に設けた矩形状の凸部９ａの突出量をプレートの厚さと同じにしたので、平面上に置いた際に安定するようになっている。
【００２８】
図５は、予め繋がった状態の連結プレート８に、連結プレートに設けた穴８ａに保管容器の底面に設けた円柱状の凸部９ｂを挿入して保管容器を結合した状態を示している。連結プレート８には切断用溝８ｃがあり、この部分で折り曲げることにより連結したい保管容器の数に応じて、手動で切断できるようになっている。
尚、穴８ａと凸部９ｂの代わりに、図４に示したプレートの溝８ｂと容器側面の溝９ｃを設けてスライド式に挿入して結合しても良い。
【００２９】
以下、本発明による保管容器の使用方法について述べる。
手術中に使用するメス刃１１は、あらかじめ大きさや本数が分かっているため、使用前にメス刃１１をハンドル１０に付けて準備しておくことが必要である。
手術の準備段階では、まずメス刃付ハンドルを保管容器に収納しておく。２本以上使用する場合は連結足７を用いて結合しておいたり、プレート８に容器を結合しておいたりし、ひとまとめにして使いやすいようにしておく。
【００３０】
メス刃付ハンドルを使用する時は、医師と看護師の両者の切傷を防ぐためにも保管容器１ごと受け渡す方がよい。その際、連結足７やプレート８から容器をはずして医師に渡し、医師から戻ってきたら連結足７やプレート８に付けるか、又は、受け渡し専用の保管容器を予め決めておいて使用する。
【００３１】
メス刃付ハンドルのまま医師に渡す場合は、側壁の削除部３ａ、３ｂでハンドル中央部をつまみ上げてメス刃付ハンドルを取り出し医師に渡し、医師から戻ってきた際も同様にして元に戻す。
ディスポーザブルのメスを使用する場合も同様にしておく。
【００３２】
メス刃付ハンドルの使用は、救急外来や病棟等でも使用されている。その場合も同様に、メス刃付ハンドルを保管容器に収納しておくことで、メスの置き場が一目でわかり、看護師、医師共に切傷する危険性を防ぐことができる。
【００３３】
手術終了後は、保管容器は破棄し感染防止に努める。ディスポーザブルのメス刃付ハンドルを使用した場合は、保管容器に入れたまま破棄できる。
【符号の説明】
【００３４】
１    本発明による保管容器
２ａ  ハンドルに相対する右側壁
２ｂ  ハンドルに相対する左側壁
３ａ  右側壁の削除部
３ｂ  左側壁の削除部
４    前方壁
５    後方壁
６ａ  メス刃に相対する右側内面
６ｂ  メス刃に相対する左側内面
６ｃ  メス刃に相対する底内面
７    連結足
７ａ  連結足に設けた穴
７ｂ  連結足に設けた円柱状の凸部
８    連結プレート
８ａ  連結プレートに設けた穴
８ｂ  連結プレートに設けた溝
８ｃ  連結プレートに設けた切断用溝
９ａ  保管容器の底部に設けた矩形状の凸部
９ｂ  保管容器の底部に設けた円柱状の凸部
９ｃ  保管容器の側面に設けた溝
１０  ハンドル
１１  メス刃
【図１】
2010167105.tif 000003
【図２】
2010167105.tif 000004
【図３】
2010167105.tif 000005
【図４】
2010167105.tif 000006
【図５】
2010167105.tif 000007